(57)【要約】      （修正有）【課題】スペースデブリに対して宇宙飛行体を適切に保護し、ＥＭＩから電子機器を適切に保護する保護ブランケットを提供する。【解決手段】保護ブランケット１４は、保護ブランケット１４を画定するため、動作可能に共に連結される複数の材料シートを含む。複数のシートは、カーボンナノチューブ強化複合材料から構成される少なくとも１つのシート、及び異なる材料から構成される少なくとも１つのシートを含む。保護ブランケット１４を組み立てる方法は、複数のシートを積層すること、及び複数のシートを動作可能に共に連結することを含む。宇宙飛行体１０は、本体、及び本体に動作可能に連結される保護ブランケット１４を含む。宇宙飛行体１０を組み立てる方法は、保護ブランケット１４を宇宙飛行体の本体に連結することを含む。【選択図】図１
2016155544.tif 000002
【特許請求の範囲】
【請求項１】
宇宙飛行体のための保護ブランケットであって、前記保護ブランケットは、
前記保護ブランケットを画定するため、動作可能に共に連結される複数の材料シートを備え、前記複数のシートは、カーボンナノチューブ強化複合材料から構成される少なくとも１つのシート、及び異なる材料から構成される少なくとも１つのシートを含む、宇宙飛行体のための保護ブランケット。
【請求項２】
前記カーボンナノチューブ強化複合材料から構成される少なくとも１つシートが、カーボンナノチューブ強化複合材料から構成される２から１０枚のシートを含む、請求項１に記載の保護ブランケット。
【請求項３】
前記複数のシートが、ポリアラミド又はポリイミド材料から少なくとも一部構成される少なくとも１つのシートを更に含む、請求項１又は２に記載の保護ブランケット。
【請求項４】
前記複数のシートが、カーボン充填複合材料から構成される少なくとも１つのシートを更に含む、請求項１から３のいずれか一項に記載の保護ブランケット。
【請求項５】
前記カーボン充填複合材料から構成される少なくとも１つのシートが、前記複数のシートの外層を画定する、請求項４に記載の保護ブランケット。
【請求項６】
前記複数のシートが、金属メッシュから構成される少なくとも１つのシートを更に含む、請求項１から５のいずれか一項に記載の保護ブランケット。
【請求項７】
前記複数のシートが、ポリアラミド又はポリイミド材料から少なくとも一部構成される２から１０枚のシートと交互配置される、カーボンナノチューブ強化複合材料から構成される２から１０枚のシートを含む、請求項１から６のいずれか一項に記載の保護ブランケット。
【請求項８】
前記複数のシートが、
第１のカーボン充填複合材料から構成されるシート、
第１のポリアラミド又はポリイミド材料から少なくとも一部構成されるシート、
第１のカーボンナノチューブ強化複合材料から構成されるシート、
第２のポリアラミド又はポリイミド材料から少なくとも一部構成されるシート、
第２のカーボンナノチューブ強化複合材料から構成されるシート、
第３のポリアラミド又はポリイミド材料から少なくとも一部構成されるシート、
第３のカーボンナノチューブ強化複合材料から構成されるシート、
第４のポリアラミド又はポリイミド材料から少なくとも一部構成されるシート、
第４のカーボンナノチューブ強化複合材料から構成されるシート、
第５のポリアラミド又はポリイミド材料から少なくとも一部構成されるシート、
第５のカーボンナノチューブ強化複合材料から構成されるシート、
第６のポリアラミド又はポリイミド材料から少なくとも一部構成されるシート、
第６のカーボンナノチューブ強化複合材料から構成されるシート、及び
第２のカーボン充填複合材料から構成されるシート
を順に積層された状態で含む、請求項１から７のいずれか一項に記載の保護ブランケット。
【請求項９】
前記複数の材料シートが、前記保護ブランケットにわたって互いに離間した複数の点において共に連結される、請求項１から８のいずれか一項に記載の保護ブランケット。
【請求項１０】
前記複数のシートのうちの外側のシートに動作可能に連結される取り付け機構を更に備え、前記取り付け機構が、前記保護ブランケットを前記宇宙飛行体の本体に動作可能に連結するように構成される、請求項１から９のいずれか一項に記載の保護ブランケット。
【請求項１１】
前記複数のシートのうちの前記外側のシートに動作可能に連結されるガスケットを更に備え、前記ガスケットが、前記宇宙飛行体の前記本体に対して動作可能に密封するように構成され、前記ガスケットが、前記保護ブランケットの一方の側の外周のほぼすべてに隣接して延在し、
フックアンドパイルファスナーが、２つの離間した部分を含み、前記ガスケットが、前記２つの離間した部分の間に位置付けされる、請求項１から１０のいずれか一項に記載の保護ブランケット。
【請求項１２】
複数のシートを積層すること、及び
前記複数のシートを動作可能に共に連結すること
を含む、請求項１に記載の保護ブランケットを組み立てる方法。
【請求項１３】
前記動作可能に共に連結することが、前記保護ブランケットにわたって互いに離間した複数の点において共に連結することを含む、請求項１２に記載の方法。
【請求項１４】
前記複数のシートのうちの外側のシートに取り付け機構を連結することを更に含み、前記取り付け機構が、前記保護ブランケットを宇宙飛行体の本体に動作可能に連結するように構成される、請求項１２又は１３に記載の方法。
【請求項１５】
前記複数のシートのうちの前記外側のシートに密封機構を連結することを更に含み、前記密封機構が、前記宇宙飛行体の前記本体に対して動作可能に密封するように構成される、請求項１４に記載の方法。
【発明の詳細な説明】
【技術分野】
【０００１】
政府の権利
本発明は、海軍研究事務所（Ｎａｖａｌ  Ｒｅｓｅａｒｃｈ  Ｏｆｆｉｃｅ）によって発行された契約番号ＮＲＯ０００−１２−Ｃ−０３６８の下で政府の支持を受けて製作された。政府は、本発明において一定の権利を有する。
【０００２】
本開示は、宇宙飛行体及び宇宙飛行体上で使用するための保護ブランケットに関する。
【背景技術】
【０００３】
宇宙飛行体（例えば、衛星）を軌道に乗せるための費用は天文学的である。２０１４年を例にとると、典型的な打ち上げ費用は、おそらく重量１キログラムあたり何万米ドルに及ぶ。重量には、打ち上げ機と燃料の重量に加えて、打ち上げ機によって軌道に乗せられる宇宙飛行体の重量が含まれる。宇宙飛行体は、一旦、地球周回軌道に入ったり、地球の軌道を越えたりすると、人工の及び自然発生のスペースデブリとの衝突に曝される。更に、宇宙飛行体のペイロードは、典型的には、電磁干渉（ＥＭＩ）に対して脆弱であり得る電子機器を含む。したがって、宇宙飛行体の重量を減少させる必要があると同時に、スペースデブリに対して宇宙飛行体を適切に保護することを確実に行い、ＥＭＩから電子機器を適切に保護することを確実に行う必要がある。
【発明の概要】
【０００４】
本明細書では、宇宙飛行体のための保護ブランケット、保護ブランケットを組み立てる方法、宇宙飛行体、及び宇宙飛行体を組み立てる方法が開示される。保護ブランケットは、保護ブランケットを画定するため、動作可能に共に連結される複数の材料シートを含む。複数のシートは、カーボンナノチューブ強化複合材料から構成される少なくとも１つのシート、及び異なる材料から構成される少なくとも１つのシートを含む。幾つかの保護ブランケットは、ポリアラミド又はポリイミド材料から少なくとも一部構成される少なくとも１つのシートを含む。幾つかの保護ブランケットは、カーボン充填複合材料の少なくとも１つのシートを含む。幾つかの保護ブランケットは、金属メッシュから構成される少なくとも１つのシートを含む。保護ブランケットを組み立てる方法は、複数のシートを積層すること、及び複数のシートを動作可能に共に連結することを含む。宇宙飛行体は、本体、及び本体に動作可能に連結される保護ブランケットを含む。宇宙飛行体を組み立てる方法は、保護ブランケットを宇宙飛行体の本体に連結することを含む。
【図面の簡単な説明】
【０００５】
【図１】本開示に係る保護ブランケットを含む例示的な宇宙飛行体の等角図である。
【図２】本発明に係る保護ブランケットの概略図である。
【図３】本発明に係る方法を概略的に表すフロー図である。
【発明を実施するための形態】
【０００６】
本明細書では、宇宙飛行体のための保護ブランケット、保護ブランケットを組み立てる方法、宇宙飛行体、及び宇宙飛行体を組み立てる方法が開示される。概して、図面では、所与の実施例に含まれる可能性が高い要素は実線で示されるが、所与の実施例で任意選択の要素は破線で示される。しかしながら、実線で示される要素は、本開示のすべての実施例に必須というわけではなく、本開示の範囲を逸脱しなければ、実線で示される要素を特定の実施例から省略してもよい。
【０００７】
図１は、保護ブランケット１４を含む衛星１２の形態で例示的な宇宙飛行体１０を示す。しかしながら、他の種類の宇宙飛行体１０が本開示の範囲内にあり、保護ブランケット１４は、衛星、まして図１に示され且つ本明細書に記載される例示的な衛星１２と共に使用されることに限定されない。宇宙飛行体１０、ひいては衛星１２は、本体１６、及び本体１６に動作可能に連結される保護ブランケット１４を含む。幾つかの例では、本体１６は、剛性の本体１６として説明されてもよく、外部付属物を含んでもよい。衛星１２の図示例では、本体は、２つの離間したラジエータパネル１８の間のボリューム２０を画定する２つの離間したラジエータパネル１８を含む。保護ブランケット１４と共に使用され得る宇宙飛行体の本体１６の例は、米国特許出願公開第２０１４／０２３９１２４号で開示され、該開示は参照により本明細書に組み込まれる。
【０００８】
保護ブランケット１４は、宇宙飛行体１０の剛性構造体又はその他の構造体の周りに巻き付けられるように構成されている限り、可撓性の保護ブランケット１４であると説明されてもよく、したがって、選択的に且つ一般的に、下位構造体又は保護ブランケットが動作可能に取り付けられる構造体に適合すると説明されてもよい。図１に示されるように衛星１２と共に使用されるとき、保護ブランケット１４は、２つの離間したラジエータパネル１８の間で画定されたボリューム２０の周りで少なくとも部分的に延在し、且つボリューム２０を少なくとも部分的に囲んでもよく、本体１６に動作可能に連結されてもよい。典型的に、衛星１２のボリューム２０は、任意選択的にラジエータパネル１８の内側に取り付けられる電子機器、通信機器、電源機器、及び／又はその他の機器などのペイロード２２を含むことになる。保護ブランケット１４は、追加的に又は代替的に、宇宙飛行体１０の外部付属物の周りに巻き付けられてもよい。保護ブランケット１４は、ペイロードに対して熱保護をもたらし、更に、ペイロードをスペースデブリ及び電磁干渉（ＥＭＩ）から保護する。つまり、保護ブランケット１４は、少なくとも３つの保護特徴、すなわち、熱保護、弾道保護、及びＥＭＩ保護を提供するように構成される。図１で示されるように、衛星１２は、更に、衛星の本体１６に取り付けられるソーラーパネル２４、通信機器２６、スラスタ２８、及び／又はその他の機器などの外部機器を含んでもよい。
【０００９】
図２は、例示的な保護ブランケット１４を概略的に示す。保護ブランケット１４は、保護ブランケット１４を画定するために動作可能に共に連結される複数の材料シート３０を含む。図２では、保護ブランケット１４は、１４枚の材料シート３０を有するように概略的に例示される。しかしながら、保護ブランケット１４は、１４枚のシート３０に限定されない。保護ブランケットは、任意の適切な数（１４枚のシート３０よりも少なく、且つ１４枚のシート３０よりも多いことを含む）のシート３０を含んでもよい。
【００１０】
複数のシート３０は、カーボンナノチューブ強化複合材料、及びカーボンナノチューブ強化複合材料ではない異なる材料から構成される少なくとも１つのシート３４から構成される少なくとも１つのシート３２を含む。本明細書で使用されるように、「強化複合材料」とは、充填材（ｆｉｌｌｅｒ）とともにマトリクス又はバインダー材（例えば、ポリマー、ポリエステル、シリコーン、又はエポキシバインダ）を含む材料のことを指す。充填材は、強化複合材料の所望の特性、ひいては対応するシート３０の所望の特性に応じて、繊維、微粒子、又はその他の材料構成であってもよい。更に、充填材は、織り繊維又は長手方向に整列された繊維のように、整えられていてもよい。又は、充填材は、不規則に配列されるなど、整えられていなくてもよい。したがって、カーボンナノチューブ強化複合材料は、カーボンナノチューブ充填材とともにマトリクスを含む材料である。
【００１１】
カーボンナノチューブ複合材料から構成される、任意の適切な数と構成のシート３２が、保護ブランケット１４に組み込まれてもよい。例えば、保護ブランケット１４は、カーボンナノチューブ強化複合材料で構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシート３２を含んでもよい。シート３２は、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有してもよい。シート３２のカーボンナノチューブ強化複合材料は、チョップドカーボンナノチューブ繊維、ヤーン状形態又は鎖状形態のカーボンナノチューブ、カーボン不連続カーボンナノチューブ、整った配向を有するカーボンナノチューブ、整っていない配向又は不規則な配向を有するカーボンナノチューブ、１０μｍから１０ｍｍの範囲内の長さを有するカーボンナノチューブ、及び／又は１から５μｍの範囲内の直径を有するカーボンナノチューブのうちの１つ又は複数を含んでもよい。シート３２のカーボンナノチューブ強化複合材料は、低弾性率の可撓性エポキシ樹脂マトリクス、シリコーン系バインダ、ポリエステル系バインダ、エポキシマトリクス、又はシアン酸エステルマトリクスのうちの１つ又は複数を含んでもよい。別の例では、シート３２は、マトリクス又はバインダを有しないカーボンナノチューブを含んでもよい。
【００１２】
上述のように、保護ブランケット１４は、カーボンナノチューブ強化複合材料以外の材料から構成される少なくとも１つシート３４を含む。例えば、保護ブランケット１４は、ポリアラミド材料及び／又はポリイミド材料から少なくとも一部構成される少なくとも１つのシート３６を含んでもよい。任意の適切な数と構成のシート３６が、保護ブランケット１４に組み込まれてもよい。幾つかの例では、１つ又は複数のシート３６は、編んだポリアラミド及び／又はポリイミド強化複合材料の織物を含んでもよい。追加的に又は代替的に、１つ又は複数のシート３６は、ポリアラミド及び／又はポリイミド繊維並びに結合材を含むような、ポリアラミド及び／又はポリイミド強化複合材料から構成されてもよい。保護ブランケット１４は、ポリアラミド及び／又はポリイミド材料から少なくとも一部構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシート３６を含んでもよい。シート３６は、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有してもよい。シート３０のポリアラミド及び／又はポリイミド材料は、例えば、ＫＥＶＬＡＲ（商標）材及び／又はＮＯＭＥＸ（商標）材を含んでもよい。シート３６がポリアラミド及び／又はポリイミド強化複合材料から構成されるとき、ポリアラミド及び／又はポリイミド強化複合材料は、例えば、ポリエステル結合を含んでもよい。
【００１３】
追加的に又は代替的に、保護ブランケット１４は、カーボン充填複合材料から構成される少なくとも１つのシート３８を含んでもよい。任意の適切な数と構成のシート３８が、保護ブランケット１４に組み込まれてもよい。例えば、保護ブランケットは、カーボン充填複合材料から構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシート３８を含んでもよい。シート３８は、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有してもよい。シート３８のカーボン充填複合材料は、カーボン繊維充填ポリイミド（ｃａｒｂｏｎ  ｆｉｂｅｒ  ｆｉｌｌｅｄ  ｐｏｌｙｉｍｉｄｅ）及び／又はカーボン繊維装填ＫＡＰＴＯＮ（商標）材（ｃａｒｂｏｎ  ｆｉｂｅｒ  ｌｏａｄｅｄ  ＫＡＰＴＯＮ  ｍａｔｅｒｉａｌ）を含んでもよい。幾つかの保護ブランケット１４では、シート３８は、複数のシート３０の外層を画定してもよい。
【００１４】
追加的に又は代替的に、保護ブランケットは、金属メッシュから構成される少なくとも１つのシート４０を含んでもよい。任意の適切な数と構成のシート４０が、保護ブランケット１４に組み込まれてもよい。例えば、保護ブランケットは、金属メッシュから構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシート４０を含んでもよい。シート４０は、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有してもよい。シート４０の金属メッシュは、例えば、アルミニウム及び／又は銅を含んでもよい。シート４０の金属メッシュは、例えば、１から１０ｍｍの範囲内の最大寸法を有する複数の孔を含んでもよい。シート４０の金属メッシュは、例えば、１から１０ｍｍの範囲の距離で離間される複数の孔を含んでもよい。
【００１５】
上述のように、例えば、保護ブランケット１４の所望の特性及び用途に応じて、任意の適切な数のシート３０、シート３２、及びシート３４が保護ブランケット１４に組み込まれてもよい。幾つかの例では、１つ以上の特定の構成のシートを直接的に共に位置付けしてもよい。つまり、同じ材料から構成される２つ以上のシートが共に積層される状態となる。追加的に又は代替的に、幾つかの例では、ある構成のシートを別の構成のシートと交互配置してもよい。つまり、２つの構成のシートが交互に共に積層される状態となる。追加的に又は代替的に、幾つかの例では、２つ以上の構成のシートを交互に積層してもよい。これは、異なる材料から構成される、３つ、４つ、又は５枚以上のシートを連続的に積層することを含む。追加的に又は代替的に、１つの特定の構成のシートは、保護ブランケット１４の外層として積層してもよい。追加的に又は代替的に、１つの特定の構成のシートを保護ブランケット１４の両方の外層として積層してもよい。つまり、これにより、保護ブランケット１４の両方の最外層が画定される。他の構成のシート３０の積層も本開示の範囲内にあり、保護ブランケット１４は、本発明に記載される特定の例に限定されない。
【００１６】
図２では、概略的に示される１４枚のシート３０が保護ブランケット１４の１つの例を表す。図面の右側の破線状のリード線は、シート３０の任意選択的な順序を特定する。具体的には、図示されるように、例示的な保護ブランケットは、ポリアラミド材料から少なくとも一部構成される６枚のシート３６と交互配置される、カーボンナノチューブ強化複合材料から構成される６枚のシート３２を含んでもよく、カーボン充填複合材料から構成される２枚のシート３８が保護ブランケットの外層を画定する。
【００１７】
保護ブランケット１４のシート３０は、保護ブランケット１４を画定するために任意の適切な態様で共に連結されてもよい。幾つかの例では、図２の垂直破線によって概略的に表されるように、シート３０は、保護ブランケットにわたって互いに離間した複数の点において共に連結されてもよい。例えば、シート３０は、感圧接着剤及び／又はフックアンドパイルファスナー（例えば、ＶＥＬＣＲＯ（商標））を用いて、繊維ガラス及び／又はナイロン糸などで、共に縫い閉じる、縫い合わせる、仮縫いする、又はさもなければ結び付けることによって共に連結されてもよい。代替的に、保護ブランケットのシート３０は、それらの外周おいてのみ共に連結されてもよい。追加的に又は代替的に、任意選択的にすべてのシート３０を含む、１つ又は複数のシート３０は、その全体にわたって、又はそのほぼ全体にわたって、共積層されてもよく、又は他の方式で互いに接着されてもよい。複数のシート３０を共に連結して保護ブラケット１４を形成する他の例も本開示の範囲内に含まれる。
【００１８】
図２で概略的に且つ任意選択的に示されるように、保護ブランケット１４の幾つかの例は、シート３０のうちの外側のシートに動作可能に連結される１つ又は複数の取り付け機構を更に含む。取り付け機構は、利用可能である場合、保護ブランケット１４を宇宙飛行体１０の本体１６に動作可能に連結するように構成されてもよい。例えば、取り付け機構５０は、保護ブランケット１４の一方の側の外周の少なくとも一部に、任意選択的にそのほぼすべてに、任意選択的にそのすべてに、隣接して延在するフックアンドパイルファスナーを含んでもよい。幾つかの例では、図２で概略的に且つ任意選択的に示されるように、任意選択的にフックアンドパイルファスナーの形態をとる２つの離間された取り付け機構５０は、保護ブランケット１４の一方の側の外周の少なくとも一部に、任意選択的にそのほぼすべてに、任意選択的にそのすべてに、隣接して延在してもよい。
【００１９】
追加的に又は代替的に、図２で概略的に且つ任意選択的に更に示されるように、保護ブランケット１４は、シート３０のうちの外側のシートに動作可能に連結される密封機構５２を含んでもよい。密封機構５２は、利用可能である場合、宇宙飛行体１０の本体１６に対して動作可能に密封するように構成されてもよい。例えば、密封機構５２は、保護ブランケット１４の一方の側の外周の少なくとも一部に、任意選択的にそのほぼすべてに、任意選択的にそのすべてに、隣接して延在するガスケット、Ｏリング、接着剤などのうちの１つ又は複数の形態を含んでもよく、或いはその形態であってもよい。幾つかの例では、図２で概略的且つ任意選択的に示されるように、密封機構５２は、保護ブランケット１４の一方の側面の外周周囲でフックアンドパイルファスナーの２つの離間した部分の間に位置付けされてもよい。
【００２０】
図３は、本開示による方法の例示的で非排他的な実施例を示すフロー図を概略的に示している。図３では、一部のステップは点線で囲まれている。これは、これらのステップが任意であってもよいことを示すか、或いは、本開示に係る方法の任意のバージョンに対応してもよいことを示す。とはいえ、本開示に係るすべての方法が、実線で囲まれたステップを含む必要はない。図３に示す方法及びステップは限定されないが、本明細書の説明から分かるように、図示したものよりも多い数のステップ又は少ない数のステップを有する方法を含む他の方法及びステップも本開示の範囲内に含まれる。
【００２１】
図３で実線で概略的に示されるように、保護ブランケット１４を組み立てる方法６０は、ステップ６２で示されるように、複数のシート３０を積層すること、又は積層することを含んでもよく、ステップ６４で示されるように、シート３０を動作可能に共に連結することを含んでもよい。幾つかの例では、動作可能に共に連結すること（６４）は、保護ブランケット１４にわたって互いに離間した複数の点においてシート３０を共に連結することを含んでもよい。幾つかのこのような例では、感圧接着剤及び／又はフックアンドパイルファスナー（例えば、ＶＥＬＣＲＯ（商標））を用いて、繊維ガラス又はナイロン糸などで、保護ブランケット１４の端部周囲おいて、及び／又は、保護ブランケット１４の長さにわたる離間間隔において、シートが、共に縫い閉じられ、縫い合わされ、仮縫いされ、又はさもなければ結び付けられる。
【００２２】
図３で概略的且つ任意選択的に示されるように、ステップ６６では、方法６０は、保護ブランケット１４を宇宙飛行体１０の本体１６に動作可能に連結するように構成される取り付け機構５０を用いて、取り付け機構５０をシート３０のうちの外側のシートに連結することを更に含んでもよい。
【００２３】
図３で概略的且つ任意選択的に示されるように、ステップ６８では、方法６０は、追加的に又は代替的に、密封機構５２が宇宙飛行体１０の本体１６に対して動作可能に密封するように構成された状態で、密封機構５２をシート３０のうちの外側のシートに連結することを含んでもよい。
【００２４】
宇宙飛行体１０を組み立てる方法７０も本開示の範囲内に含まれる。図３で示されるように、ステップ７２では、保護ブランケット１４を宇宙飛行体１０の本体１６に少なくとも連結することが含まれてもよい。幾つかの方法７０では、動作可能に連結すること（７２）の前に、保護ブランケット１４を組み立てる方法６０を実行することを更に含んでもよい。
【００２５】
本開示に係る本発明の主題の例示的かつ非排他的な実施例が、以下に列挙した段落に記載される。
【００２６】
Ａ．
宇宙飛行体のための保護ブランケットであって、前記保護ブランケットは、
前記保護ブランケットを画定するため、動作可能に共に連結される複数の材料シートを備え、前記複数のシートは、カーボンナノチューブ強化複合材料から構成される少なくとも１つシート、及び異なる材料から構成される少なくとも１つシートを含む、宇宙飛行体のための保護ブランケット。
【００２７】
Ａ１．
カーボンナノチューブ強化複合材料から構成される少なくとも１つシートが、カーボンナノチューブ強化複合材料から構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシートを含む、段落Ａに記載の保護ブランケット。
【００２８】
Ａ２．
カーボンナノチューブ強化複合材料から構成される前記少なくとも１つシートが、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲の厚みを有する、段落Ａ又はＡ１に記載の保護ブランケット。
【００２９】
Ａ３．
前記カーボンナノチューブ強化複合材料が、チョップドカーボンナノチューブ繊維、ヤーン状形態又は鎖状形態のカーボンナノチューブ、カーボン不連続カーボンナノチューブ（ｃａｒｂｏｎ  ｄｉｓｃｏｎｔｉｎｕｏｕｓ  ｃａｒｂｏｎ  ｎａｎｏｔｕｂｅｓ）、整った配向を有するカーボンナノチューブ、整っていない配向又は不規則な配向を有するカーボンナノチューブ、１０μｍから１０ｍｍの範囲内の長さを有するカーボンナノチューブ、及び／又は１から５μｍの範囲内の直径を有するカーボンナノチューブのうちの１つ又は複数を含み、任意選択的にそれらのうちの１つ又は複数から構成され、任意選択的にそれらのうちの１つ又は複数から本質的に構成される、段落ＡからＡ２のいずれかに記載の保護ブランケット。
【００３０】
Ａ４．
前記カーボンナノチューブ強化複合材料が、低弾性率の可撓性エポキシ樹脂マトリクス、シリコーン系バインダ、ポリエステル系バインダ、エポキシマトリクス、又はシアン酸エステルマトリクスのうちの１つ又は複数を含み、任意選択的にそれらのうちの１つ又は複数から構成され、任意選択的にそれらのうちの１つ又は複数から本質的に構成される、段落ＡからＡ３のいずれかに記載の保護ブランケット。
【００３１】
Ａ５．
前記複数のシートが、ポリアラミド材料及び／又はポリイミド、任意選択的に、ポリアラミド及び／又はポリイミド強化複合材料から少なくとも一部構成される少なくとも１つシートを更に含む、段落ＡからＡ４のいずれかに記載の保護ブランケット。
【００３２】
Ａ５．１．
ポリアラミド材及び／又はポリイミド材から少なくとも一部構成される少なくとも１つシートが、編んだポリアラミド及び／又はポリイミド材料の織物を含む、段落Ａ５に記載の保護ブランケット。
【００３３】
Ａ５．１．
ポリアラミド材及び／又はポリイミド材から少なくとも一部構成される少なくとも１つシートが、ポリアラミド材料及び／又はポリイミド材料から少なくとも一部構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシートを含む、段落Ａ５からＡ５．１のいずれかに記載の保護ブランケット。
【００３４】
Ａ５．３．
ポリアラミド材料及び／又はポリイミド材料から少なくとも一部構成される少なくとも１つシートが、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有する、段落Ａ５からＡ５．２のいずれかに記載の保護ブランケット。
【００３５】
Ａ５．４．
ポリアラミド及び／又はポリイミド材料が、ＫＥＶＬＡＲ（商標）材及び／又はＮＯＭＥＸ（商標）材を含み、任意選択的にそれらから構成され、任意選択的にそれらから本質的に構成される、段落Ａ５からＡ５．３のいずれかに記載の保護ブランケット。
【００３６】
Ａ５．５．
ポリアラミド及び／又はポリイミド強化複合材料が、ポリエステル結合を含み、任意選択的にそれから構成され、任意選択的にそれから本質的に構成される、段落Ａ５からＡ５．４のいずれかに記載の保護ブランケット。
【００３７】
Ａ６．
前記複数のシートが、カーボン充填複合材料から構成される少なくとも１つのシートを更に含む、段落ＡからＡ５．５のいずれかに記載の保護ブランケット。
【００３８】
Ａ６．１．
カーボン充填複合材料から構成される少なくとも１つシートが、カーボン充填複合材料から構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシートを含む、段落Ａ６に記載の保護ブランケット。
【００３９】
Ａ６．２．
カーボン充填複合材料から構成される少なくとも１つシートが、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有する、段落Ａ６からＡ６．１のいずれかに記載の保護ブランケット。
【００４０】
Ａ６．３．
前記カーボン充填複合材料が、カーボン繊維充填ポリイミド及び／又はカーボン繊維装填ＫＡＰＴＯＮ（商標）材を含み、任意選択的にそれらから構成され、任意選択的にそれから本質的に構成される、段落Ａ６からＡ６．２のいずれかに記載の保護ブランケット。
【００４１】
Ａ６．４．
カーボン充填複合材料から構成される少なくとも１つシートが、前記複数のシートの外層を画定する、段落Ａ６からＡ６．３のいずれかに記載の保護ブランケット。
【００４２】
Ａ７．
前記複数のシートが、金属メッシュから構成される少なくとも１つのシートを更に含む、段落ＡからＡ６．４のいずれかに記載の保護ブランケット。
【００４３】
Ａ７．１．
金属メッシュから構成される少なくとも１つシートが、金属メッシュから構成される、２、３、４、５、６、７、８、９、１０、２から１０、２から８、２から６、２から４、４から１０、４から８、４から６、６から１０、６から８、８から１０、少なくとも２、少なくとも４、少なくとも６、少なくとも８、又は少なくとも１０枚のシートを含む、段落Ａ７に記載の保護ブランケット。
【００４４】
Ａ７．２．
金属メッシュから構成される少なくとも１つシートが、１０から１００、１０から８０、１０から６０、１０から４０、１０から３０、１０から２０、２０から１００、２０から８０、２０から６０、２０から４０、２０から３０、３０から１００、３０から８０、３０から６０、３０から４０、４０から１００、４０から８０、４０から６０、６０から１００、６０から８０、又は８０から１００μｍの範囲内の厚みを有する、段落Ａ７からＡ７．１のいずれかに記載の保護ブランケット。
【００４５】
Ａ７．３．
前記金属メッシュが、アルミニウム及び／又は銅を含み、任意選択的にそれから構成され、任意選択的にそれから本質的に構成される、段落Ａ７からＡ７．２のいずれかに記載の保護ブランケット。
【００４６】
Ａ７．４．
前記金属メッシュが、１から１０ｍｍの範囲内の最大寸法を有する複数の孔を含み、任意選択的にそれらから構成され、任意選択的にそれらから本質的に構成される、段落Ａ７からＡ７．３のいずれかに記載の保護ブランケット。
【００４７】
Ａ７．５．
前記金属メッシュが、１から１０ｍｍの範囲の距離で離間される複数の孔を含み、任意選択的にそれらから構成され、任意選択的にそれらから本質的に構成される、段落Ａ７からＡ７．４のいずれかに記載の保護ブランケット。
【００４８】
Ａ８．
前記複数のシートが、ポリアラミド及び／又はポリイミド材料から少なくとも一部構成される、２から１０枚の、任意選択的には６枚のシートと交互配置される、カーボンナノチューブ強化複合材料から構成される、２から１０枚の、任意選択的には６枚のシートを含む、段落ＡからＡ７．５のいずれかに記載の保護ブランケット。
【００４９】
Ａ９．
前記複数のシートが、
カーボン充填複合材料から構成される第１のシート、
第１のポリアラミド及び／又はポリイミド材料から少なくとも一部構成されるシート、
第１のカーボンナノチューブ強化複合材料から構成されるシート、
第２のポリアラミド及び／又はポリイミド材料から少なくとも一部構成されるシート、
第２のカーボンナノチューブ強化複合材料から構成されるシート、
第３のポリアラミド及び／又はポリイミド材料から少なくとも一部構成されるシート、
第３のカーボンナノチューブ強化複合材料から構成されるシート、
第４のポリアラミド及び／又はポリイミド材料から少なくとも一部構成されるシート、
第４のカーボンナノチューブ強化複合材料から構成されるシート、
第５のポリアラミド及び／又はポリイミド材料から少なくとも一部構成されるシート、
第５のカーボンナノチューブ強化複合材料から構成されるシート、
第６のポリアラミド及び／又はポリイミド材料から少なくとも一部構成されるシート、
第６のカーボンナノチューブ強化複合材料から構成されるシート、及び
第２のカーボン充填複合材料から構成されるシート
を順に積層された状態で含む、段落ＡからＡ８のいずれか一項に記載の保護ブランケット。
【００５０】
Ａ１０．
前記複数の材料シートが、前記保護ブランケットにわたって互いに離間した複数の点において共に連結される、段落ＡからＡ９のいずれかに記載の保護ブランケット。
【００５１】
Ａ１１．
前記複数のシートのうちの外側のシートに動作可能に連結される取り付け機構を更に備え、前記取り付け機構が、前記保護ブランケットを宇宙飛行体の本体に動作可能に連結するように構成される、
段落ＡからＡ１０のいずれかに記載の保護ブランケット。
【００５２】
Ａ１１．１．
前記取り付け機構が、前記保護ブランケットの一方の側の外周の少なくとも一部に、任意選択的にそのほぼすべて、任意選択的にそのすべてに、隣接して延在するフックアンドパイルファスナーを含む、段落Ａ１１に記載の保護ブランケット。
【００５３】
Ａ１２．
前記複数のシートのうちの外側のシートに動作可能に連結される密封機構更に備え、前記密封機構が、宇宙飛行体の本体に対して動作可能に密封するように構成される、
段落ＡからＡ１１．１のいずれかに記載の保護ブランケット。
【００５４】
Ａ１２．１．
前記密封機構が、前記保護ブランケットの一方の側の外周の少なくとも一部に、任意選択的にほぼすべてに、任意選択的にすべてに、隣接して延在するガスケットを含む、段落Ａ１２に記載の保護ブランケット。
【００５５】
Ａ１２．１．１．
フックアンドパイルファスナーが、２つの離間した部分を含み、前記ガスケットが、前記２つの離間した部分の間に位置付けされる、段落１１．１に従属する段落Ａ１２．１に記載の保護ブランケット。
【００５６】
Ａ１３．
任意選択的に宇宙飛行体を保護するための、段落ＡからＡ１２．１．１のいずれかに記載の保護ブランケットの使用。
【００５７】
Ａ１４．
本体、及び
前記本体に動作可能に連結される、段落ＡからＡ１２．１．１のいずれかに記載の保護ブランケット
を備える宇宙飛行体。
【００５８】
Ａ１４．１．
前記本体は、２つの離間したラジエータパネルを含み、前記保護ブランケットは、前記２つの離間したラジエータパネルの間のボリュームの周りで少なくとも部分的に延在し、且つ該ボリュームを少なくとも部分的に囲む、段落１４に記載の宇宙飛行体。
【００５９】
Ａ１４．２．
前記本体が外部付属物を含み、前記保護ブランケットが前記外部付属物の周りに巻き付けられる、段落Ａ１４からＡ１４．１のいずれかに記載の宇宙飛行体。
【００６０】
Ｂ．
前記複数のシートを積層すること、及び
前記複数のシートを動作可能に共に連結すること
を含む、段落ＡからＡ１２．１．１のいずれかに記載の保護ブランケットを組み立てる方法。
【００６１】
Ｂ１．
前記動作可能に共に連結することが、前記保護ブランケットにわたって互いに離間した複数の点において共に連結することを含む、段落Ｂに記載の方法。
【００６２】
Ｂ１．１．
感圧接着剤及び／又はフックアンドパイルファスナーを用いて、繊維ガラス及び／又はナイロン糸などで、シートを共に縫い閉じる、縫い合わせる、仮縫いする、又はさもなければ結び付ける、段落Ｂ１に記載の方法。
【００６３】
Ｂ２．
前記複数のシートのうちの外側のシートに取り付け機構を連結することを更に含み、前記取り付け機構が、前記保護ブランケットを宇宙飛行体の本体に動作可能に連結するように構成される、段落ＢからＢ１．１のいずれかに記載の方法。
【００６４】
Ｂ３．
前記複数のシートのうちの外側のシートに密封機構を連結することを更に含み、前記密封機構が、宇宙飛行体の本体に対して動作可能に密封するように構成される、段落ＢからＢ２のいずれかに記載の方法。
【００６５】
Ｃ．
段落ＡからＡ１２．１．１のいずれかに記載の保護ブランケットを宇宙飛行体の本体に連結することを含む、宇宙飛行体を組み立てる方法。
【００６６】
Ｃ１．
前記保護ブランケットを動作可能に連結する前に、段落ＢからＢ３のいずれかに記載の方法を実行することを更に含む、段落Ｃに記載の方法。
【００６７】
本明細書で使用されているように、「適合された」及び「構成された」という表現は、要素、コンポーネント、又は他の対象が所与の機能を果たすように設計されている及び／又は意図されていることを意味する。したがって、「適合される」及び「構成される」という表現の使用は、所与の要素、構成要素、又はその他の対象が、単に所与の機能を実行「できる」ことを意味するのではなく、要素、構成要素、及び／又はその他の対象が、その機能を実行する目的で、具体的に選択、形成、実施、利用、プログラム化、及び／又は設計されることを意味すると解釈されるべきである。特定の機能を実行するように適合されるとして列挙される要素、構成要素、及び／又はその他の列挙される対象を、追加的に又は代替的に、その機能を実行するように構成されると説明できること、且つ逆の場合もあり得ることも、本開示の範囲内に含まれる。同様に、特定の機能を実行するように構成されるとして列挙される対象が、追加的に又は代替的に、その機能を実行するように動作可能であると説明してもよい。
【００６８】
本明細書で開示される方法の装置及び工程の様々な開示要素は、本開示に係るすべての装置及び方法に必要とされているわけではなく、本開示は、本明細書で開示される様々な要素及び工程のすべての新規及び非自明の組み合わせ並びに部分的組み合わせを含む。更に、本明細書で開示される様々な要素及び工程のうちの１つ又は複数は、開示される装置又は方法全体とは別個の分離した、独立した発明の対象を画定し得る。従って、そのような発明の対象は、本明細書中で明確に開示される特定の装置及び方法と関連付けられる必要はなく、そのような発明の対象は、本明細書で明確に開示されない装置及び／又は方法の有用性を見い出し得る。
【図１】
2016155544.tif 000003
【図２】
2016155544.tif 000004
【図３】
2016155544.tif 000005
【外国語明細書】
2016155544000001.pdf
2016155544000002.pdf
2016155544000003.pdf
2016155544000004.pdf